(57)【要約】【課題】  低いランニングコストで、完全に浄化されたオゾン活性冷水が得られる、活性冷水の製造装置を提供する。【解決手段】  活性冷水の製造装置は、冷却機ユニット(2) で得られた冷水を冷却機ユニット(2) と冷水を貯える貯水槽(3) との間で冷却水循環ライン(9) を経て循環させ、貯水槽(3) の底部から出て同槽(3) に戻って曝気するオゾン含有水循環ライン(10)に、混合器(6) とその下流にオゾン含有水混合ポンプ(11)とその下流にセラミック充填器(7)が設けられ、オゾン発生器(8) が混合器(6) に接続されていることを特徴とする。【選択図】    図１
0003107760.tif 000002
【実用新案登録請求の範囲】
【請求項１】
冷却機ユニット(2) で得られた冷水を冷却機ユニット(2) と冷水を貯える貯水槽(3) との間で冷却水循環ライン(9) を経て循環させ、貯水槽(3) の底部から出て同槽(3) に戻って曝気するオゾン含有水循環ライン(10)に、混合器(6) とその下流にオゾン含有水混合ポンプ(11)とその下流にセラミック充填器(7)が設けられ、混合器(6) にオゾン発生器(8) が接続されていることを特徴とする、活性冷水の製造装置。
【考案の詳細な説明】
【技術分野】
【０００１】
本考案は、オゾンにより殺菌効果を付与された活性冷水を製造する装置に関し、より詳しくは冷却水の循環ラインをオゾン含有水の循環ラインとは別に設けた活性冷水の製造装置に関する。
【背景技術】
【０００２】
近年、日本において、水質汚染が進み、水道水も汚染の危険にさらされている。水道水には、殺菌のために塩素が使用されているが、このために水道水がカルキ臭くなっている。また、高層ビルの貯水槽には、殺菌のために汚染防止剤が大量に使用されており、人体への影響が懸念される。
【０００３】
従来より、水道水用の浄水器、濾過器が開発されている。これら浄水器、濾過器は、一般に活性炭とフィルターによって水を浄化しようというものである。すなわち、フィルターで水の中の不純物を濾過し、活性炭によって脱臭するのである。
【０００４】
しかしながら、従来の浄水器、濾過器では、水の浄化作用が不十分なことが多く、また、高い濾過機能を有する濾過器ほど、フィルター部に雑菌が溜り易く、フィルターを定期的に交換しなければならないため、高いランニングコストが必要であった。
【０００５】
また、近年、護岸壁工事の増大で海水が汚濁され、海水の酸素欠乏状態で魚介類や海草類の養殖産業が大きな被害を被っている。そこで、養殖場で溶存酸素を多く含む活性冷水を供給するにより、このような汚濁海水を浄化することが望まれる。
【考案の開示】
【考案が解決しようとする課題】
【０００６】
本考案の目的は、上記諸欠点を解決し、低いランニングコストで、完全に浄化されたオゾン活性冷水が得られる、活性冷水の製造装置を提供することにある。
【課題を解決するための手段】
【０００７】
本考案は、上記目的を達成すべく工夫されたものであって、
冷却機ユニット(2) で得られた冷水を冷却機ユニット(2) と冷水を貯える貯水槽(3) との間で冷却水循環ライン(9) を経て循環させ、貯水槽(3) の底部から出て同槽(3) に戻って曝気するオゾン含有水循環ライン(10)に、混合器(6) とその下流にオゾン含有水混合ポンプ(11)とそのにセラミック充填器(7)が設けられ、混合器(6) にオゾン発生器(8) が接続されていることを特徴とする、活性冷水の製造装置(1) である。
【考案の効果】
【０００８】
本考案の活性冷水製造装置は、上記のごとく構成され、オゾン含有空気を循環冷水に混合させ、気液混合物を循環ポンプで加圧攪拌するので、冷水中の溶存酸素濃度が大幅に高められる。また冷水をセラミック充填器に通すので、気液接触率が高められ、冷水中の溶存酸素が過飽和状態になされる。さらに冷水中にはオゾンが含ませられるので、冷水に殺菌作用が付与される。
【０００９】
このように、本考案の活性冷水製造装置によれば、オゾンの殺菌効果が付与された、高い溶存酸素量の活性冷水を、低ランニングコストで製造することができる。
【００１０】
こうして得られた活性冷水は、オゾン濃度を調節して、飲料水としてもちろん最適であり、さらに、冷水中の溶存酸素および溶存オゾンの作用によって、生鮮食料品の鮮度保持処理用水として、溜池等の浄化用水として用いることができる。
【００１１】
また、得られた活性冷水を植物に散水することにより、植物の生育を促進することも可能である。
【００１２】
海水に対しては、護岸壁工事等が原因で海水が汚濁され、酸素欠乏状態で魚介類やのり類の養殖産業が甚大な被害を被っている。また赤潮の発生によって養殖産業は被害を被っている。本考案の活性冷水製造装置で得られる冷水を用いることにより、このような問題を効果的に解決することができる上に、魚介類やのり類の成長を促進することができる。
【考案を実施するための最良の形態】
【００１３】
次に、本考案を図１に基づいて具体的に説明するが、本考案を限定するものではない。
【００１４】
図１は、本考案による活性冷水の製造装置(1) を示す断面図である。
【００１５】
図１において、冷却機ユニット(2) と貯水槽(3) は、冷却水循環ライン(9) によって連結されている。冷却機ユニット(2) は、図示されていないコンプレッサー、空冷器およびファンにより構成された冷凍機ユニットを内蔵する。冷媒は冷却機ユニット(2) からこれら構成要素を順次流通して冷却機ユニット(2) に戻り、冷却機ユニット(2) 内の水を冷却するように構成されている。貯水槽(3) はここで冷却水とオゾン含有水を混合して活性冷水を製造するものである。
【００１６】
冷却水循環ライン(9) において貯水槽(3) の底部から冷却機ユニット(2) へ至る部分に冷却水循環ライン元弁(4) とこれの後流に冷却ライン循環ポンプ(5) が設けられ、冷却機ユニット(2) から貯水槽(3) の頂部へ至る部分に冷却水戻り弁(14)が設けられている。冷却機ユニット(2) 内の冷却水温は温度設定調節器(16)で調節される。
【００１７】
貯水槽(3) の底部から出て同槽(3) に戻って曝気するオゾン含有水循環ライン(10)に、混合器(6) と、その下流にオゾン含有水混合ポンプ(11)と、その下流にセラミック充填器(7)が設けられている。混合器(6) には、オゾン弁(22)を有するオゾン供給ライン(21)を介してオゾン発生器(8) が接続されている。オゾン含有水混合ポンプ(11)は、吐出圧力が１．５Kg／cm２  以上であるものが好ましい。
【００１８】
オゾン含有水循環ライン(10)において、貯水槽(3) と混合器(6) の間にオゾン含有水循環ライン元弁(12)が、オゾン含有水混合ポンプ(11)とセラミック充填器(7) の間に中間弁(13)が、セラミック充填器(7) と貯水槽(3) の間にオゾン含有循環水戻り弁(15)が、それぞれ設けられている。オゾン含有水循環ライン元弁(12)およびオゾン含有循環水戻り弁(15)は、オゾン発生器(8) およびオゾン含有水混合ポンプ(11)のオン−オフと連動して開閉される。
【００１９】
貯水槽(3) の頂部には給水弁(18)を有する給水ライン(17)が配され、給水弁(18)は水位調節器(19)からの信号で貯水槽(3) 内の水位を所定高さに保つように制御される。貯水槽(3) の底部には、取水弁(20)を有する活性冷水ライン(21)が配されている。
【００２０】
上記構成の活性冷水製造装置(1) において、給水ライン(17)を経て貯水槽(3) に供給された水は、同槽(3) の底部から冷却水循環ライン(9) により冷却水循環ライン元弁(4) を経て冷却ライン循環ポンプ(5) で冷却機ユニット(2) へ送られる。この循環水は、ここで１０〜１２℃に冷却され、得られた冷水は、冷却水戻り弁(14)を経て貯水槽(3) へ戻される。冷却水循環ライン元弁(4) および冷却水戻り弁(14)は、冷却ライン循環ポンプ(5) および冷却機ユニット(2) のオン−オフと連動して開閉される。
【００２１】
オゾン含有水循環ライン(10)の混合器(6) において、オゾン発生器(8) で発生させたオゾンを含む空気は、貯水槽(3) から来る冷水に吹き込まれる。混合器(6) で生じた気液混合体はついでオゾン含有水混合ポンプ(11)によって加圧攪拌され、オゾン含有空気の溶解度が高められ、冷水中の溶存酸素濃度が上昇される。またオゾンの作用によって、水道水中に含まれていた塩素が一酸化塩素（Ｃｌ２Ｏ）となって気体状態で空中に放出除去される。さらに、オゾン自体の殺菌効果が冷水に付与される。
【００２２】
オゾン含有空気を溶かした冷水は、ついで多孔質のセラミック粒状物を充填したセラミック充填器(7) に通される。ここでセラミック粒状物による遠赤外線効果を水循環による繰り返し効果で活性化することができ、その結果、気液接触率が高められて、冷水中の溶存酸素が過飽和状態になされる。溶存酸素濃度は、常温では通常約８ｐｐｍ以上にはなりにくいが、本製造装置(1) では、これを１２０分間作動させると、水温１３℃にてその２〜２．５倍もの溶存酸素濃度が得られる。
【００２３】
また、本製造装置(1) では、４℃まで水道水を冷却して水の最小のクラスター（分子集合体）を形成させ、おいしい飲料冷水を得ることもできる。
【００２４】
図２は、気温２５℃における、時間と水温および溶存酸素濃度との関係の一例を示すグラフである。
【図面の簡単な説明】
【００２５】
【図１】本考案による活性冷水の製造装置の一具体例を示す断面図である。
【図２】時間と水温および溶存酸素濃度との関係を示すグラフである。
【符号の説明】
【００２６】
(1) …活性冷水製造装置
(2) …冷却機ユニット
(3) …貯水槽
(4) …冷却水循環ライン元弁
(5) …冷却ライン循環ポンプ
(6) …混合器
(7) …セラミック充填器
(8) …オゾン発生器
(9) …冷却水循環ライン
(10)…オゾン含有水循環ライン
(11)…オゾン含有水混合ポンプ
(12)…オゾン含有水循環ライン元弁
(13)…中間弁
(14)…冷却水戻り弁
(15)…オゾン含有循環水戻り弁
(16)…温度設定調節器
(17)…給水ライン
(18)…給水弁
(19)…水位調節器
(20)…取水弁
(21)…オゾン供給ライン
(22)…オゾン弁
【図１】
0003107760.tif 000003
【図２】
0003107760.tif 000004